(57)【要約】【課題】壁面の上部に送風機能を有するエアコン本体（壁掛け部）と、前記エアコン本体（壁掛け部）から送風管を通して送られた冷温風を床上部から送風する機能を有する床置き送風機とからなるエアコンを提供する。【解決手段】壁面の上部に送風機能を有するエアコン本体（壁掛け部）１と、前記エアコン本体（壁掛け部）１から送風管４を通して送られた冷温風を床上部から送風する機能を有する床置き送風機５とからなる構成としたエアコンである。エアコン本体（壁掛け部）１は、冷温風を送風管４に送る風量制御機能を有し、床置き送風機５は、冷温風の温度を検知するセンサー７と送風扇６を内蔵し、上方向または前方向に送風する風向制御機能を有する。このような構成により、室内温度の均一化が容易にでき快適な室内の温度環境を実現している。【選択図】図１
2016017734.tif 000002
【特許請求の範囲】
【請求項１】
壁面の上部に送風機能を有するエアコン本体（壁掛け部）と、前記エアコン本体（壁掛け部）から送風管を通して送られた冷温風を床上部から送風する機能を有する床置き送風機とからなるエアコン。
【請求項２】
エアコン本体（壁掛け部）は、冷温風を送風管に送る風量制御機能を有する請求項１に記載のエアコン。
【請求項３】
床置き送風機は、エアコン本体（壁掛け部）から送風管に送られた冷温風の温度を検知するセンサーと送風扇を内蔵し、上方向または前方向に送風する風向制御機能を有する請求項１に記載のエアコン。
【発明の詳細な説明】
【技術分野】
【０００１】  本発明は、快適な室内温度環境を実現するために、壁面の上部および床上部に送風機能を有するエアコンに関する。
【背景技術】
【０００２】  従来のエアコン（壁掛け型エアコン）では、冷温風の送風箇所はエアコン本体が取り付けられている壁面の上部のみであった。
【発明の概要】
【発明が解決しようとする課題】
【０００３】  しかしながら、このような従来の構成では、冷暖房時の送風箇所が壁面の上部にしかなく、室内の温度を均一にするには、やや無理があった。つまり、冷暖房時には部屋の上部は温度が高めで足元部が冷えるという傾向にあり、部屋全体が快適な温度状態にはなりにくかった。
【課題を解決するための手段】
【０００４】  本発明は、このような問題点を解決するもので、壁面の上部に送風機能を有するエアコン本体（壁掛け部）と、前記エアコン本体（壁掛け部）から送風管を通して送られた冷温風を床上部から送風する機能を有する床置き送風機とからなる構成のエアコンである。
【発明の効果】
【０００５】  以上のように、本発明によれば、壁面の上部に送風機能を有するエアコン本体（壁掛け部）と、前記エアコン本体（壁掛け部）から送風管を通して送られた冷温風を床上部から送風する機能を有する床置き送風機とからなり、壁面の上部からの送風と、床上部からの送風およびサーキュレーターとしての機能により、室内温度の均一化が容易にでき、快適な室内温度環境を実現できる。また、エアコン本体を壁掛け型とし、フレキシブルタイプの送風管を介して床上部に床置き送風機を分離して設置することにより、より自由に配置でき省スペース化も図れる。
【図面の簡単な説明】
【０００６】
【図１】本発明の一実施形態によるエアコン本体（壁掛け部）および床置き送風機を有するエアコンの斜視図である。
【図２】本発明において、床置き送風機のみが上方向への送風機能の動作をした場合の左側面から見た断面図である。
【図３】本発明において、床置き送風機のみが前方向への送風機能の動作をした場合の左側面から見た断面図である。
【図４】本発明において、エアコン本体（壁掛け部）のみが壁面の上部で送風機能の動作をした場合の左側面から見た断面図である。
【図５】本発明において、エアコン本体（壁掛け部）および床置き送風機がそれぞれ送風機能の動作をした場合の左側面から見た断面図である。
【図６】従来のエアコン（壁掛け型エアコン）の斜視図である。
【発明を実施するための形態】
【０００７】  本発明の請求項１に記載の発明は、壁面の上部に送風機能を有するエアコン本体（壁掛け部）と、前記エアコン本体（壁掛け部）から送風管を通して送られた冷温風を床上部から送風する機能を有する床置き送風機とで構成され、室内温度を均一にするのに有効な手段となる。
請求項２に記載の発明のエアコン本体（壁掛け部）は、請求項１に記載のエアコンであり、冷温風を送風管に送る風量制御板を持ち、室内の温度環境に応じて送風管への風量を最適に制御する機能を有する。
請求項３に記載の発明の床置き送風機は、請求項１に記載のエアコンであり、エアコン本体（壁掛け部）から送風管に送られた冷温風の温度を検知するセンサーと送風扇を内蔵し、冷温風の温度条件にもとづき風向制御板を制御し最適な方向に送風する機能を有する。
【０００８】  以下、本発明の実施の形態について、図１から図５を用いて説明する。
図１は、壁面の上部に送風機能を有するエアコン本体（壁掛け部）と、前記エアコン本体（壁掛け部）から送風管を通して送られた冷温風を床上部から送風する機能を有する床置き送風機とからなるエアコンを示している。エアコン本体（壁掛け部）１は、ルーバー２と風量制御板３とで構成されており、風量制御板３により送風管４への冷温風の風量制御を行う。送風管４は更に床置き送風機５と接続されており、本発明を構成している。
図２は、エアコン本体（壁掛け部）からの冷温風が床置き送風機に送られ、床置き送風機のみが上方向への送風をした時の各部の動作および冷温風の流れを示す。エアコン本体（壁掛け部）１のルーバー２および風量制御板３の前方向への送風吹き出し口は閉じられ、冷温風は送風管４を通して送風扇６および温度センサー７を内蔵する床置き送風機５に送られ、温度センサー７により設定した希望する最適温度が検知されるまで、風向制御板８により冷温風は上方向に送風する状態に保たれる。このことにより、前方向への送風で不快な温度の冷温風が直接体に当たるのを避けることができる。
図３は、床置き送風機のみによる冷温風の前方向への送風機能の使用例であり、冷温風が希望する最適温度になったあとの各部の動作および冷温風の流れを示す。エアコン本体（壁掛け部）１のルーバー２および風量制御板３の前方向への送風吹き出し口は閉じられ、冷温風は送風管４を通して送風扇６および温度センサー７を内蔵する床置き送風機５に送られ、温度センサー７により設定した希望する最適温度が検知されると、風向制御板８により冷温風は前方向に送風する状態に保たれる。このことにより、床置き型エアコンに準じる動作をさせることができる。
図４は、エアコン本体（壁掛け部）のみによる冷温風送風機能の使用例であり、この動作状態での各部の動作および冷温風の流れを示す。エアコン本体（壁掛け部）１のルーバー２の前方向への送風吹き出し口は開かれ、風量制御板３の送風管４への送風吹き出し口は閉じられ、エアコン本体（壁掛け部）１からの冷温風は壁面上部の前方向に送風される。このとき床置き送風機５の機能はオフの状態である。このことにより、壁掛け型エアコンとしての動作をさせることができる。
図５は、エアコン本体（壁掛け部）および床置き送風機での複合的な冷温風送風機能の使用例であり、この動作状態での各部の動作および冷温風の流れを示す。室内の温度環境に応じて、エアコン本体（壁掛け部）１のルーバー２の吹き出し口が開かれ壁面上部の前方向への冷温風の送風が行われるとともに、風量制御板３は前方向および送風管４へ送る冷温風が最適な風量になるようその位置を制御している。また送風管４を通しての冷温風は送風扇６および温度センサー７を内蔵する床置き送風機５に送られ、希望する最適温度になると風向制御板８により冷温風は上方向および前方向に送風する状態に保たれる。このことにより、エアコン本体（壁掛け部）１および床置き送風機５に希望の温度条件に合った複合的な動作をさせることができ、より快適な室内温度環境を実現できる。この使用例は、本発明の効果を最大にできる動作状態である。
【符号の説明】
【０００９】  １  エアコン本体（壁掛け部）
２  ルーバー
３  風量制御板
４  送風管
５  床置き送風機
６  送風扇
７  温度センサー
８  風向制御板
９  送風扇および温度センサー内蔵部
１０  冷温風の流れ
【図１】
2016017734.tif 000003
【図２】
2016017734.tif 000004
【図３】
2016017734.tif 000005
【図４】
2016017734.tif 000006
【図５】
2016017734.tif 000007
【図６】
2016017734.tif 000008